(57)【特許請求の範囲】
【請求項１】
屋外に設置される照明器具であって、
支持部材に支持され、内部に光源を有する器具本体と、
前記器具本体の外周縁部のうち前記支持部材による支持箇所以外の箇所から前記支持部材に向かって下方向に延び、前記器具本体上面の水を誘導する複数の誘導部材と、を備えた
ことを特徴とする照明器具。
【請求項２】
前記誘導部材は、線状または細い棒状であることを特徴とする請求項１に記載の照明器具。
【請求項３】
前記器具本体の上面には、当該上面を前記支持部材に向かって下方に傾斜させて形成した水受部を備え、前記誘導部材を、前記水受部から延ばしたことを特徴とする請求項１または２に記載の照明器具。
【請求項４】
前記誘導部材は、前記支持部材の表面に接続されていることを特徴とする請求項１乃至３のいずれかに記載の照明器具。
【請求項５】
前記誘導部材を親水性としたことを特徴とする請求項１乃至４のいずれかに記載の照明器具。
【請求項６】
前記誘導部材を、鉛直方向からの角度が４５度以下となるように傾斜させて設置したことを特徴とする請求項１乃至５のいずれかに記載の照明器具。
【請求項７】
前記器具本体の上面に、前記誘導部材の接続部から徐々に幅が広くなって行く親水性コーティングによる誘導路を形成したことを特徴とする請求項１乃至６のいずれかに記載の照明器具。
【発明の詳細な説明】
【技術分野】
【０００１】
本発明は、屋外で用いられる照明器具に関する。
【背景技術】
【０００２】
従来、道路の路肩等に立設した支柱や、建物の外壁面に支持されて用いられる屋外用の照明器具が知られている（例えば、特許文献１参照）。このような照明器具に、冬季に積雪した場合には、積雪した雪が、照明器具の発熱や太陽光の熱により溶けて、氷柱が発生する場合がある。そこで、特許文献１記載の照明器具では、板状体からなる水誘導手段を、器具本体の最下部から設置面近傍まで延ばして、器具本体の最下部から垂れ落ちる水を、水誘導手段によって設置面近傍へと誘導することで、器具本体の最下部での氷柱の形成を抑制している。
【先行技術文献】
【特許文献】
【０００３】
【特許文献１】特開２０１１−２４９０１１号公報
【発明の概要】
【発明が解決しようとする課題】
【０００４】
しかしながら、積雪量が多い場合には、雪解け水が器具本体の周縁部からも滴下するため、器具本体の最下部だけではなく、器具本体の周縁にも氷柱が発生する場合があるという問題があった。
本発明は、上述した事情に鑑みてなされたものであり、より効果的に氷柱の形成を抑制することができる照明器具を提供することを目的とする。
【課題を解決するための手段】
【０００５】
上記目的を達成するために、本発明の照明器具は、屋外に設置される照明器具であって、支持部材に支持され、内部に光源を有する器具本体と、前記器具本体の外周縁部のうち前記支持部材による支持箇所以外の箇所から前記支持部材に向かって下方向に延び、前記器具本体上面の水を誘導する複数の誘導部材と、を備えたことを特徴とする。
上記構成において、前記誘導部材は、線状または細い棒状であってもよい。
【０００６】
上記構成において、前記器具本体の上面には、当該上面を前記支持部材に向かって下方に傾斜させて形成した水受部を備え、前記誘導部材を、前記水受部から延ばしてもよい。
【０００７】
上記構成において、前記誘導部材は、前記支持部材の表面に接続されていてもよい。
【０００８】
上記構成において、前記誘導部材を親水性としてもよい。
【０００９】
上記構成において、前記誘導部材の表面に親水性コーティングを施してもよい。
【００１０】
上記構成において、前記器具本体の上面に、前記誘導部材の接続部から徐々に幅が広くなって行く親水性コーティングによる誘導路を形成してもよい。
【発明の効果】
【００１１】
本発明によれば、屋外に設置される照明器具であって、支持部材に支持され、内部に光源を有する器具本体と、前記器具本体の外周縁部から前記支持部材に向かって下方向に延び、前記器具本体上面の水を誘導する複数の誘導部材と、を備えたため、外周縁部から延びる複数の誘導部材によって器具本体上面の水を支持部材に誘導することができ、より効果的に氷柱の形成を抑制することができる。
【図面の簡単な説明】
【００１２】
【図１】本発明の第１実施形態に係る照明器具を下方から示す斜視図である。
【図２】照明器具の構成を示す図であり、（Ａ）は側面図、（Ｂ）は背面図、（Ｃ）底面図である。
【図３】誘導路の構成を示す上面図である。
【図４】照明器具を壁面に設置した状態を示す側面図である。
【図５】本発明の第２実施形態に係る照明器具を下方から示す斜視図である。
【図６】照明器具の構成を示す図であり、（Ａ）は側面図、（Ｂ）は背面図である。
【発明を実施するための形態】
【００１３】
以下、図面を参照して本発明の実施形態について説明する。
＜第１実施形態＞
図１は第１実施形態に係る照明器具１を下方から示す斜視図である。図２は照明器具１の構成を示す図であり、図２（Ａ）は側面図、図２（Ｂ）は背面図、図２（Ｃ）は底面図である。
この照明器具１は、図１、図２に示すように、屋外に設置された支持部材４に器具本体１０を支持して用いられる。支持部材４は、例えば、路肩などの道路脇の地面に立設されたポール型の支柱５であり、支柱５の先端部３に器具本体１０を支持している。
【００１４】
器具本体１０は、例えば、アルミダイカストで形成され、前端１１Ａから後端１１Ｂにかけて長い平面視略矩形状に形成される。器具本体１０は、後端１１Ｂの近傍で支柱５の先端部３に支持され、前端１１Ａを道路側（車道側）に向けて設置される。器具本体１０の下面１０Ａには、前端１１Ａの側に照射開口１２が形成され、この照射開口１２が平板状の透明なグローブ１３で覆われている。
また、器具本体１０の下面１０Ａには、後端１１Ｂの近傍に、支柱５を挿入する為の支柱用挿入孔１６を備えている。支柱５に器具本体１０を支持する際には、支柱５の先端部３が器具本体１０の下面１０Ａから支柱用挿入孔１６に挿入される。
【００１５】
器具本体１０は、ケース体２０と、下カバー体２１と、を備える。ケース体２０、及び下カバー体２１は、屋外使用に十分に耐え得る耐食性があり、且つ、熱伝導性に優れた、例えばアルミニウムやアルミニウム合金等の材料から形成されている。ケース体２０は、器具本体１０の、上面１０Ｃ、前後左右の外側面１０Ｄ、１０Ｅ、１０Ｆ、１０Ｇを構成する。下カバー体２１は、器具本体１０の下面１０Ａを構成する。下カバー体２１には、照射開口１２が形成され、この照射開口１２を塞ぐようにグローブ１３が取り付けられている。器具本体１０は、ケース体２０、下カバー体２１、及びグローブ１３が、互いに水密に取り付けられて、内部空間が防水される構造となっている。
ケース体２０、下カバー体２１、及びグローブ１３によって形成される器具本体１０の内部空間には、不図示の光源ユニットと、光源ユニットに電源を供給する電源ユニットが収容されている。
【００１６】
光源ユニットは、器具本体１０のケース体２０に熱的に接続されて備えられる。光源ユニットは、図示は省略するが、複数のＣＯＢ型ＬＥＤ等の発光素子を光源として備え、光源の照射方向を下方に向けている。光源ユニットは、上面１０Ｃの背面に取り付けられる構成とすることができる。また、上面１０Ｃには、器具本体１０の後端１１Ｂ側に凸状に形成され、内部の空間に電源ユニットを収容した電源収容部８０が設けられる。なお、電源ユニットを器具本体１０内部に配置せず、支柱５の下部に電源ユニットを配置してもよい。
下カバー体２１は、器具本体１０の後端１１Ｂ側を下方に箱状に突出させた突設部２２を有し、突設部２２の略中央に支柱用挿入孔１６が形成されている。突設部２２の内部空間には、支柱用挿入孔１６から挿入された支柱５と、器具本体１０とを連結固定する不図示の連結固定部が設けられている。
【００１７】
ケース体２０の電源収容部８０と、下カバー体２１の突設部２２とは、上下方向に並べて形成される。これにより、突設部２２に設けられた、支柱用挿入孔１６から挿入された支柱５の先端部３が、電源収容部８０に収容された電源ユニットの直下に配設される。よって、支柱５の内部を通して地中から延びる電源線を、電源収容部８０に収容された電源ユニットに容易に接続することができる。
【００１８】
器具本体１０は、図２（Ａ）に示すように、前端１１Ａが後端１１Ｂよりも上方に配置されるように、上面１０Ｃが支柱５に向かって下方に傾斜している。上面１０Ｃは、水平方向に対して少なくとも５度、好ましくは１０度以上傾斜している構成とされるのが望ましい。
器具本体１０には、周縁部１１Ｃから下方に向かって延びる線状または細い棒状の誘導部材３０が設けられている。誘導部材３０は、器具本体１０の周縁に沿って、所定の間隔で複数設けられる。誘導部材３０は、器具本体１０の前後方向に対して、後端１１Ｂから３分の２程度の範囲に設けられていてもよい。
【００１９】
誘導部材３０は、耐食性に優れたステンレス等の材料から形成され、表面には、親水性コーティングが施されて、親水性の部材に形成されている。なお、誘導部材３０を親水性の材料から形成してもよい。誘導部材３０は、器具本体１０の周縁部１１Ｃから、支柱５に向かって延び、望ましくは、支柱５の表面に接続されている。誘導部材３０は、支柱５の表面に設けられた接続孔に挿入されて、支柱５の表面に接続されている構成であってもよいし、支柱５の表面にロウ付け等によって接合されている構成であってもよいし、支柱５に巻きつけるなどして固定してもよい。また、誘導部材３０は、鉛直方向からの角度が４５度以下となるように、傾斜させて設置される。
【００２０】
ところで、上述したように、器具本体１０のケース体２０は、熱伝導性に優れた材料から形成され、光源ユニットが、ケース体２０に熱的に接続されているため、光源ユニットの発熱がケース体２０に伝熱されて放熱され、光源ユニットが動作可能な温度に維持されるように構成されている。照明器具１が、冬季の積雪量が比較的多い地域に設置された場合には、器具本体１０の上部に積もった雪が、光源ユニットから器具本体１０に伝えられた熱や、太陽光の熱により解けて水滴となる。この水滴が器具本体１０の上面１０Ｃから滴下する際に寒気に晒され氷結すると、器具本体１０に氷柱が形成される可能性がある。
光源として放電ランプを用いた従来の照明器具では、放電ランプが高温であるため器具本体１０の温度が高く、器具本体１０から滴下する水滴は凍りにくく、氷柱は形成され難い。これに対し、光源にＣＯＢ型ＬＥＤ等の発光素子を用いた場合、発光素子の発熱量が比較的少ないため、このままでは器具本体１０に氷柱が形成されやすい。
【００２１】
誘導部材３０は、雪解け水を器具本体１０の上面１０Ｃから支柱５に誘導することで、器具本体１０水滴が滴下するのを防ぎ、器具本体１０に氷柱が形成するのを抑制するものである。詳述すると、上面１０Ｃは、支柱５に向かって下方に傾斜しているため、上面１０Ｃに積もった雪が解けると、雪解け水は、上面１０Ｃの表面に沿って、後端１１Ｂ側に流れる。つまり、上面１０Ｃの後端１１Ｂ側は、雪解け水を受ける水受部３１として構成される。器具本体１０の周縁部１１Ｃから延びる複数の誘導部材３０は、この水受部３１から延びるように構成される。これにより、上面１０Ｃの雪解け水は、水受部３１から、誘導部材３０を伝って流れる。誘導部材３０は、支柱５に向かって延び、支柱５に接続されているため、誘導部材３０を伝って流れた雪解け水は、支柱５の表面に誘導される。これにより、器具本体１０に氷柱が発生するのを抑制することができる。
【００２２】
さらに、誘導部材３０はそれぞれ、鉛直方向からの角度が４５度以下となるように、傾斜させて設置されている。誘導部材３０の鉛直方向からの角度が４５度より大きくなると、誘導部材３０自身から水滴が滴下する可能性がある。そのため、誘導部材３０の鉛直方向からの角度を４５度以下とすることで、誘導部材３０から、水滴が滴下されるのを防ぐことができ、誘導部材３０に氷柱が発生するのを抑制することができる。また、誘導部材３０を親水性としたため、水が誘導部材３０を伝って支柱５に誘導しやすくなり、誘導部材３０から氷柱が発生するのを防止することができる。
また、誘導部材３０を、後端１１Ｂのみに設けた場合には、器具本体１０の側面１０Ｆ，１０Ｇから氷柱が発生する可能性がある。本実施形態では、誘導部材３０は、器具本体１０の周縁に沿って複数設けられているため、側面１０Ｆ，１０Ｇから氷柱が発生するのを効果的に抑制することができる。
【００２３】
上面１０Ｃには、図３に示すように、各誘導部材３０に上面１０Ｃの水を誘導する誘導路３５が形成されていてもよい。誘導路３５は、器具本体１０の上面１０Ｃに親水性コーティングを施すことで形成される。誘導路３５は、器具本体１０と誘導部材３０との接続部１５から器具中央部に向かって徐々に路幅が広くなるように形成される。これにより、器具中央部から、各誘導部材３０に向かって上面１０Ｃの水が誘導される。よって、上面１０Ｃの水を誘導路３５から誘導部材３０に導いて、誘導部材３０から支柱５に誘導することができ、より効果的に器具本体１０からの氷柱の形成を抑制することができる。
【００２４】
なお、照明器具１は、器具本体１０を支柱５に支持して用いる他に、図４に示すように、支持部材４としての壁面６に支持して用いることもできる。器具本体１０は、支柱５に支持されて用いられる場合と同様に、上面１０Ｃが壁面６に向かって下方に傾斜させて支持される。また、壁面６に器具本体１０を支持して用いる場合は、誘導部材３０は、器具本体１０の周縁部１１Ｃから壁面６に向かって複数延びて、それぞれ壁面６に接続される。そして、器具本体１０の上面１０Ｃの水は、これらの誘導部材３０により壁面６に誘導されるため、器具本体１０から氷柱が発生するのが抑制される。
【００２５】
＜第２実施形態＞
次に、本発明の第２実施形態について説明する。
上述の第１実施形態では、器具本体１０の側面１０Ｆ，１０Ｇ側からも誘導部材３０を支柱５に延ばすことで、器具本体１０に氷柱が発生するのをより効果的に抑制する構成について説明した。この第２実施形態では、器具本体１０の側面１０Ｆ，１０Ｇから氷柱が発生するのを抑制するために、堰壁１３０を有する器具本体１１０を備えた照明器具１００について説明する。なお、第２実施形態において、上述の第１実施形態と同様の構成については、図中に同一の番号を付し、その説明を省略する。
図５は、第２実施形態に係る照明器具１００を下方から示す斜視図である。図６は照明器具１００の構成を示す図であり、図６（Ａ）は側面図、図６（Ｂ）は背面図である。
【００２６】
図５、図６に示すように器具本体１１０の上面１１０Ｃには、周縁に沿って、薄板状の堰壁１３０が立設されている。堰壁１３０は、所定の高さ寸法を有し、器具本体１１０の左右側面１１０Ｆ，１１０Ｇの全体から延設される。堰壁１３０は、ケース体１２０に一体に形成される構成であってもよいし、ケース体１２０にロウ付け等の接合方法によりとり取り付けられる構成であってもよい。
器具本体１１０は、上面１１０Ｃが支柱５に向かって下方に傾斜している。器具本体１１０の上部に積もった雪が解けて水滴となった場合、水滴は上面１１０Ｃの傾き方向に、器具本体１１０の上面１１０Ｃを伝って流れる。上面１１０Ｃには、左右の周縁に沿って、堰壁１３０が立設されているため、水滴は堰壁１３０によって堰き止められて、器具本体１１０の左右側面１１０Ｆ，１１０Ｇから滴下することなく、後端１１１Ｂに向かって流れる。
【００２７】
上面１１０Ｃの後端１１０Ｂ側には、堰壁１３０と、上面１１０Ｃに形成された電源収容部８０と、によって、樋状の水路１３５が左右両側に形成される。水路１３５は、後端１１１Ｂから徐々に幅が広くなっていくように構成される。後端１１１Ｂの縁には、誘導部材３０が、水路１３５のそれぞれに接続されて設けられている。水路１３５は、上面１１０Ｃ上の雪解け水を受ける水受部３１としても機能し、水受部３１から支柱５に延びる誘導部材３０により、上面１１０Ｃの雪解け水を支柱５に誘導する。なお、水路１３５に親水性コーティングを施して、水路１３５から誘導部材３０により効率よく上面１１０Ｃの水を導く構成としてもよい。
【００２８】
この第２実施形態では、上述のように、上面１１０Ｃの左右の周縁に沿って、堰壁１３０を立設したため、器具本体１１０の左右側面１１０Ｆ，１１０Ｇから水が滴下するのを防ぐことができる。また、堰壁１３０により、上面１１０Ｃに後端１１１Ｂに、水受部３１としても機能する水路１３５を形成することができ、後端１１１Ｂに上面１１０Ｃの水を導くことができる。そして、水路１３５から支柱５に延びる誘導部材３０を後端１１１Ｂの縁に設けたため、水路１３５から水を支柱５に導くことができ、器具本体１１０に氷柱が発生するのを効果的に抑制することができる。
【００２９】
以上説明したように、本実施形態によれば、屋外に設置される照明器具１であって、支持部材４に支持され、内部に光源を有する器具本体１０と、器具本体１０の外周縁部１１Ｃから支持部材４に向かって下方向に延び、器具本体１０の上面１０Ｃの水を誘導する複数の誘導部材３０と、を備える構成とした。この構成により、器具本体１０の上面１０Ｃに積もった雪が解けた際に、雪解け水を上面１０Ｃから支柱５に誘導部材３０により誘導することができる。これにより、器具本体１０の左右側面１０Ｆ，１０Ｇを含む周縁部１１Ｃから水滴が滴下するのを防ぐことができ、器具本体１０から氷柱が発生するのを効果的に抑制することができる。
【００３０】
また、本実施形態によれば、器具本体１０の上面１０Ｃには、当該上面１０Ｃを支持部材４に向かって下方に傾斜させて形成した水受部３１を備え、誘導部材３０を、水受部３１から延ばす構成とした。この構成により、上面１０Ｃの水を水受部３１に集めて、誘導部材３０により、支柱５に誘導することができるため、上面１０Ｃの水が器具本体１０の周縁部１１Ｃから滴下して氷柱が形成されるのを防ぐことができる。よって、器具本体１０から氷柱が形成されるのを効果的に抑制することができる。
【００３１】
また、本実施形態によれば、誘導部材３０は、支持部材４の表面に接続されている構成とした。この構成により、誘導部材３０により、効率よく支持部材４の表面に水を誘導することができ、氷柱が形成されるのを効果的に抑制することができる。
【００３２】
また、本実施形態によれば、誘導部材３０を親水性とした。この構成により、誘導部材３０を伝って水が流れやすくなり、支柱５に水を誘導しやすくすることができるとともに、誘導部材３０に氷柱が発生するのを防ぐことができる。
【００３３】
また、本実施形態によれば、誘導部材３０の表面に親水性コーティングを施した。この構成により、誘導部材３０を容易に親水性とすることができ、誘導部材３０を伝って水が流れやすくし、支柱５に水を誘導しやすくすることができるとともに、誘導部材３０に氷柱が発生するのを防ぐことができる。
【００３４】
また、本実施形態によれば、器具本体１０の上面１０Ｃに、誘導部材３０の接続部１５から徐々に幅が広くなって行く親水性コーティングによる誘導路３５を形成する構成とした。この構成により、上面１０Ｃの水を、誘導部材３０に効率よく導いて、誘導部材３０により支持部材４の表面に導くことができる。よって、器具本体１０の周縁部１１Ｃから水が滴下して、氷柱が生成されるのを防ぐことができる。
【００３５】
なお、上述した実施形態は、あくまでも本発明の一態様を例示したものであって、本発明の趣旨を逸脱しない範囲で任意に変形、及び応用が可能である。
【符号の説明】
【００３６】
１、１００  照明器具
３  先端部
４  支持部材
５  支柱
６  壁面
１０、１１０  器具本体
１０Ｃ  上面
１１Ｃ  周縁部
１５  接続部
３０  誘導部材
３１  水受部
【図１】
0006623620.tif 000002
【図２】
0006623620.tif 000003
【図３】
0006623620.tif 000004
【図４】
0006623620.tif 000005
【図５】
0006623620.tif 000006
【図６】
0006623620.tif 000007